(57)【要約】【課題】切断時の放熱効果を高くしながら、空転時の騒音が低減するようにする。【解決手段】円板状の台金（１１）の外周に多数の歯（１２）を設け、該台金（１１）の内周部に略半径方向に延びる熱変形防止用の長孔（１３）を形成してなる回転鋸において、前記長孔（１３）は、その短手方向の幅を約６ｍｍまでとし、かつ略半径方向に延びる長孔主体（１３ａ）の少なくとも一方の端部にこれと略直交する方向に延びる端部長孔（１３ｂ）を連設する。【選択図】　　　　図１
2004009218.tif 000002
【特許請求の範囲】
【請求項１】
円板状の台金（１１）の外周に多数の歯（１２）を設け、該台金（１１）の内周部に略半径方向に延びる熱変形防止用の長孔（１３）を形成してなる回転鋸において、前記長孔（１３）は、その短手方向の幅を約６ｍｍまでとし、かつ略半径方向に延びる長孔主体（１３ａ）の少なくとも一方の端部にこれと略直交する方向に延びる端部長孔（１３ｂ）を連設してなることを特徴とする回転鋸。
【請求項２】
端部長孔（１３ｂ）の長さは長孔主体（１３ａ）の幅の２〜５倍としたことを特徴とする請求項１記載の回転鋸。
【請求項３】
長孔主体（１３ａ）の長手方向中間部にこれと略直交する方向に延びる中間長孔（１３ｄ）を連設したことを特徴とする請求項１又は２記載の回転鋸。
【発明の詳細な説明】
【０００１】
【発明の属する技術分野】
本発明は、木材、鋼材等を切断する回転鋸に関するものである。
【０００２】
【従来の技術】
従来の技術として、図６に示すものがあった。図６において、１は外径が約３５５ｍｍとなる回転鋸であり、厚さ約２ｍｍの台金２の外周に約４０個の鋸歯形の刃台３を形成し、各刃台３の回転面側に超硬チップ４が固着されている。上記台金３の内周部に熱変形防止用の長孔５が周方向に４個等ピッチで形成されている。これらの長孔５は共に半径方向に細長い楕円状に形成されている。即ち、外周端の半径Ｒ１が約１０ｍｍ、内周端の半径Ｒ２が約４ｍｍ、半径方向の長さＬ１が約４５ｍｍとなる細長い楕円状に形成されている。また、上記台金２の外周４箇所にスリット６が形成されている。このスリット６は、上記各長孔５の周方向中間部に位置する歯の歯底から約１．２ｍｍの溝幅で軸心方向に向かって約２２ｍｍの深さとなるように形成されている。
【０００３】
【発明が解決しようとする課題】
上記従来のものは、切断時の発熱で台金２が熱膨張した際に、各長孔５及びスリット６部で上記熱膨張が吸収されて台金２の熱変形が防止されることになる。しかしなが、上記従来のものは、空転時に各長孔５部で風切り音が発生し、空転時に騒音が発生するものであった。本発明は、この空転時の騒音を低減するとともに、各長孔の周長を長くして各長孔部での放熱効果を高める新規な回転鋸を得ることを目的とする。
【０００４】
【課題を解決するための手段】
本発明は、上記目的を達成するために以下の如く構成したものである。即ち、請求項１の発明は、円板状の台金の外周に多数の歯を設け、該台金の内周部に略半径方向に延びる熱変形防止用の長孔を形成してなる回転鋸において、前記長孔は、その短手方向の幅を約６ｍｍまでとし、かつ略半径方向に延びる長孔主体の少なくとも一方の端部にこれと略直交する方向に延びる端部長孔を連設する構成にしたものである。
また、請求項２に係る発明は、上記端部長孔の長さを長孔主体の幅の２〜５倍としたものである。
また、請求項３に係る発明は、上記長孔主体の長手方向中間部にこれと略直交する方向に延びる中間長孔を連設したものである。
【０００５】
【発明の実施の形態】
以下本発明の実施例を図面に基いて説明する。図面において、図１は本発明の第１実施例を示す回転鋸の側面図、図２は図１の要部を拡大した部分側面図、図３は図１のＩＩＩ−ＩＩＩ拡大断面図、図４は本発明の第２実施例を示す回転鋸の部分側面図、図５は本発明の第３実施例を示す回転鋸の部分側面図である。
【０００６】
図１において、１０は外径が例えば約３５５ｍｍとなる回転鋸であり、厚さ約２ｍｍの台金１１の外周に約４０個の歯１２を有する。上記台金１１の内周部に熱変形防止用の４個の長孔１３が、また、該台金１１の外周部に４個のスリット１５がそれぞれ円周方向に交互に所定の間隔をおいて形成されている。上記台金１１はＳＡＥ１０７４，ＳＫＳ−５、あるいはＳＫ−５等の鋼板材により形成され、また、上記長孔１３及びスリット１５はプレス又はレーザー加工により形成される。
【０００７】
上記各長孔１３は共に同形状で半径方向に細長く形成されている。即ち、図２に示すように、半径方向に延びる長孔主体１３ａの両端部及び長手方向中間部に、両側方（円周方向）に延びる短尺な外端部長孔１３ｂ、内端部長孔１３ｃ、及び中間長孔１３ｄを連続して形成する。上記長孔主体１３ａ、各端部長孔１３ｂ，１３ｃ、及び中間長孔１３ｄの端手方向の幅Ｓ１，Ｓ２，Ｓ３，Ｓ４は共に約４ｍｍとする。また、上記長孔主体１３ａの半径方向の長さＬ２は約４５ｍｍ、上記外端部長孔１３ｂ、内端部長孔１３ｃ、及び中間長孔１３ｄの長手方向（円周方向）の幅Ｌ３，Ｌ４，Ｌ５はそれぞれ２０ｍｍ，１５ｍｍ，１０ｍｍとする。
【０００８】
ここで、上記端手方向の幅Ｓ１〜Ｓ４は、実験によると、図３に示すように台金の厚さＴ１よりも大きくするとともに、その幅Ｓ１（Ｓ１〜Ｓ４）の最大は約６ｍｍまでにするとよい結果を得ることができた。これは、幅Ｓ１〜Ｓ４を６ｍｍ以上にすると、長孔１３内で乱流が発生するためと思われる。また、幅Ｓ１〜Ｓ４を台金の厚さＴ１よりも小さくすると、切断時に長孔１３部で外気の流通が円滑に行われなくなり、放熱効果が低下することになる。また、上記各端部長孔１３ｂ、端部長孔１３ｃ、及び中間長孔１３ｄの長手方向（円周方向）の幅Ｌ３，Ｌ４，Ｌ５は、長孔主体１３ａの短手方向の幅Ｓ１の２倍〜５倍の範囲にするとよい結果を得ることができた。
【０００９】
前述したスリット１５は上記各長孔１３の周方向中間部に位置する歯１２の歯底から軸心方向に向かって約２２ｍｍの深さで形成され、その溝幅は約１．２ｍｍとなっている。
【００１０】
図４は第２実施例を示す。図４において、１１は台金、１２，１５はその外周に形成された歯、及びスリットであり、これらは前述した第１実施例のものと略同構造となっている。１３−１は上記各スリット１５、１５間の台金内周部に形成されたＩ形の長孔である。即ち、半径方向に延びる長孔主体１３ａの両端部に、両側方（円周方向）に延びる短尺な外端部長孔１３ｂ、及び内端部長孔１３ｃを連続して形成し、前述した第１実施例の中間長孔１３ｄは省略したものである。上記長孔主体１３ａ、各端部長孔１３ｂ，１３ｃの端手方向の幅Ｓ１，Ｓ２，Ｓ３は共に約４ｍｍとし、また、上記長孔主体１３ａの半径方向の長さＬ２は約４５ｍｍ、上記各端部長孔１３ｂ，１３ｃの長手方向（円周方向）の幅Ｌ３，Ｌ４はそれぞれ２０ｍｍ，１５ｍｍとする。
【００１１】
図５は第３実施例を示す。図５において、１１は台金、１２，１５はその外周に形成された歯、及びスリットであり、これらは前述した第１実施例のものと略同構造となっている。１３−２は上記各スリット１５、１５間の台金内周部に形成された逆Ｌ形の長孔である。即ち、半径方向に延びる長孔主体１３ａの外周端部に１側方（回転鋸１０の反回転方向）に向かって延びる短尺な外端部長孔１３ｂ’を、内周端部に両側方（円周方向）に延びる短尺な内端部長孔１３ｃを連続して形成したものである。
【００１２】
上記長孔主体１３ａ、及び外端部長孔１３ｂ’の端手方向の幅Ｓ１，Ｓ２は共に約４ｍｍとし、また、上記長孔主体１３ａの半径方向の長さＬ２は約４５ｍｍ、上記外端部長孔１３ｂ’、内端部長孔１３ｃの長手方向（円周方向）の幅Ｌ３，Ｌ４はそれぞれ２０ｍｍ，１５ｍｍとする。なお、上記外端部長孔１３ｂ’は回転鋸１０の回転方向に向けて延出させてもよい。その他は第１実施例と同様となっている。
【００１３】
前述した長孔１３（１３−１，１３−２）は、全て同じ径の円周上に形成するようにしたが、これは、径の異なる複数の円周上に位相をずらせて形成するようにしてもよい。例えば、各スリット１５の内周側に前述した各長孔１３（１３−１，１３−２）よりも内周側に位置させて同様の長孔を形成するようにしてもよい。また、形状の異なる長孔１３，１３−１，１３−２を混在させるようにしてもよい。この場合、回転バランスが狂わないように混在させる。また、各長孔１３（１３−１，１３−２）の向きは、半径線に対して若干の角度で交叉させるようにしてもよい。
【００１４】
【発明の効果】
以上の説明から明らかな如く、本願発明は、台金の内周部に略半径方向に延びる熱変形防止用の長孔を形成するに際し、該長孔の短手方向の幅を約６ｍｍまでとし、かつ該長孔主体の少なくとも一方の端部にこれと略直交する方向に延びる端部長孔を連設するようにしたので、切断時の発熱による台金の熱変形を防止しながら、空転時の騒音を低減することができる。
また、長孔の周長が長くなって放熱効果が高くなり、切断時の発熱を低減することができる。
【図面の簡単な説明】
【図１】本発明の第１実施例を示す回転鋸の側面図である。
【図２】図１の要部を拡大した部分側面図である。
【図３】図１のＩＩＩ−ＩＩＩ拡大断面図である。
【図４】本発明の第２実施例を示す回転鋸の部分側面図である。
【図５】本発明の第３実施例を示す回転鋸の部分側面図である。
【図６】従来例を示す回転鋸の側面図である。
【符号の説明】
１０　　回転鋸
１１　　台金
１２　　歯
１３（１３−１，１３−２）　　長孔
１３ａ　長孔主体
１３ｂ（１３ｂ’）外端部長孔
１３ｃ　内端部長孔
１３ｄ　中間長孔
１５　　スリット
【図１】
2004009218.tif 000003
【図２】
2004009218.tif 000004
【図３】
2004009218.tif 000005
【図４】
2004009218.tif 000006
【図５】
2004009218.tif 000007
【図６】
2004009218.tif 000008